(57)【要約】【課題】テレビ電話機能を有さない携帯電話機を使用し、この携帯電話機と共に使用する他の通信端末を必要とせずに、テレビ電話機能を有する携帯電話機との間で簡易的にテレビ電話の通話を可能にする。【解決手段】  中継サーバー２１は、テレビ電話の機能を有する第１の携帯電話機２３，２５から送信されたテレビ電話データ形式のデータのうち、音声データと動画データとを分離し、この音声データをテレビ電話の機能を有さない第２の携帯電話機２４，２６に送信する。一方、中継サーバー２１は、動画データから任意のタイミングの１フレームを静止画データとして選択し、該静止画データを通話中又は通話前に第２の携帯電話機２４，２６に送信する。また、中継サーバー２１は、第２の携帯電話機２４，２６からの音声データと、第２の携帯電話機２４，２６にあらかじめ登録された静止画データとを第２の携帯電話機２４，２６から受信して合成し、第１の携帯電話機２３，２５に送信する。【選択図】図１
2006325092.tif 000002
【特許請求の範囲】
【請求項１】
中継サーバーを経由して第１の携帯電話機と第２の携帯電話機とが少なくとも音声による通話を行う電話通信システムであって、
上記第１の携帯電話機は、テレビ電話機能を有し、
上記第２の携帯電話機は、音声及び静止画データの通信機能を有する一方、テレビ電話機能を有さず、
上記中継サーバーは、
上記第１の携帯電話機から送信されたテレビ電話データ形式のデータのうち、音声データと動画データとを分離し、該音声データを第２の携帯電話機に送信する一方、動画データから任意のタイミングの１フレームを静止画データとして選択し、該静止画データを通話中又は通話前に該第２の携帯電話機に送信し、
上記第２の携帯電話機から音声データと、該第２の携帯電話機にあらかじめ登録された静止画データとを受信して合成し、上記第１の携帯電話機に送信するように構成されていることを特徴とする電話通信システム。
【請求項２】
請求項１に記載の電話通信システムにおいて、
上記中継サーバーは、上記第２の携帯電話機に対して、あらかじめ該第２の携帯電話機内に登録された静止画を送信するよう要求するように構成されていることを特徴とする電話通信システム。
【請求項３】
請求項１又は２に記載の電話通信システムにおいて、
上記第１の携帯電話機は、通話中に操作することで、その時点の静止画を上記第２の携帯電話機に送信することを上記中継サーバーに要求する画像送信キーを備え、
上記中継サーバーは、上記要求によりその時点の動画データから静止画データを選択し、上記第２の携帯電話機に送信するように構成されていることを特徴とする電話通信システム。
【請求項４】
中継サーバーを経由して第１の携帯電話機と第２の携帯電話機とが少なくとも音声による通話を行う電話通信方法であって、
テレビ電話機能を有する第１の携帯電話機と、音声及び静止画データの通信機能を有する一方、テレビ電話機能を有さない第２の携帯電話機と、上記中継サーバーとを用意する工程と、
上記中継サーバーが、上記第１の携帯電話機から送信されたテレビ電話データ形式のデータのうち、音声データと動画データとを分離する工程と、
上記中継サーバーが、上記音声データを第２の携帯電話機に送信する一方、上記動画データから任意のタイミングの１フレームを静止画データとして選択して該静止画データを通話中又は通話前に該第２の携帯電話機に送信する工程と、
上記中継サーバーが、上記第２の携帯電話機からの音声データと、該第２の携帯電話機にあらかじめ登録された静止画データとを第２の携帯電話機から受信して合成する工程と、
上記中継サーバーが、上記合成されたデータを上記第１の携帯電話機に送信する工程とを含んでいることを特徴とする電話通信方法。
【請求項５】
請求項４に記載の電話通信方法において、
上記中継サーバーが、上記第２の携帯電話機に対して、あらかじめ該第２の携帯電話機内に登録された静止画を送信するよう要求する工程を含んでいることを特徴とする電話通信方法。
【請求項６】
請求項４又は５に記載の電話通信方法において、
上記第１の携帯電話機が、通話中に、その時点の静止画を上記第２の携帯電話機に送信することを上記中継サーバーに要求し、該中継サーバーが要求によりその時点の動画データから静止画データを選択し、上記第２の携帯電話機に送信する工程を含んでいることを特徴とする電話通信方法。
【請求項７】
第１の携帯電話機と第２の携帯電話機との間で少なくとも音声による通話の中継を行う中継サーバーであって、
テレビ電話機能を有する上記第１の携帯電話機からのテレビ電話データ形式のデータのうち、音声データと動画データとを分離し、動画データから任意のタイミングの１フレームを静止画として選択して、
音声及び静止画データの通信機能を有する一方、テレビ電話機能を有さない上記第２の携帯電話機に上記音声データを送信し、上記静止画データを通話中又は通話前に該第２の携帯電話機に送信し、
上記第２の携帯電話機からの音声データと、第２の携帯電話機にあらかじめ登録された静止画データとを第２の携帯電話機から受信して合成し、第１の携帯電話機に送信するように構成されていることを特徴とする中継サーバー。
【請求項８】
請求項７に記載の中継サーバーにおいて、
上記第２の携帯電話機に対して、あらかじめ該第２の携帯電話機内に登録された静止画を送信するよう要求するように構成されていることを特徴とする中継サーバー。
【請求項９】
請求項７又は８に記載の中継サーバーにおいて、
上記第１の携帯電話機が通話中に、その時点の静止画を上記第２の携帯電話機に送信することを要求してきたときに、その時点の動画データから静止画データを選択し、上記第２の携帯電話機に送信するように構成されていることを特徴とする中継サーバー。
【請求項１０】
中継サーバーを経由して音声及び画像データの通信を行う携帯電話機であって、
音声及び静止画データの通信機能を有する一方、テレビ電話機能を有さず、
あらかじめ登録してある静止画を上記中継サーバーからの要求により、該中継サーバーに送信し、
テレビ電話機能を有する携帯電話機からのテレビ電話データ形式のデータのうち、上記中継サーバーによって動画データから選択された静止画データと音声データとの受信を行うように構成されていることを特徴とする携帯電話機。
【請求項１１】
請求項１０に記載の携帯電話機において、
上記中継サーバーから送信された静止画を通話中に携帯電話機の液晶表示部に表示するように構成されていることを特徴とする携帯電話機。
【請求項１２】
中継サーバーを経由して音声及び画像データの通信を行う携帯電話機であって、
テレビ電話機能を有し、
通話中に操作することで、動画データからその時点の静止画データを選択し、該静止画を通信相手に送信することを上記中継サーバーに要求する画像送信キーを備えていることを特徴とする携帯電話機。
【請求項１３】
第１の携帯電話機と第２の携帯電話機とが少なくとも音声による通話を行う電話通信システムであって、
上記第１の携帯電話機は、テレビ電話機能を有し、
上記第２の携帯電話機は、音声及び静止画データの通信機能を有する一方、テレビ電話機能を有さず、
上記第２の携帯電話機は、上記第１の携帯電話機から送信されたテレビ電話データ形式のデータのうち、音声データと動画データとを分離し、該音声データを受話スピーカーから出力する一方、動画データから任意のタイミングの１フレームを静止画データとして選択し、該静止画データを該第２の携帯電話機の液晶表示部に表示し、
上記第１の携帯電話は、第２の携帯電話機から送信された音声データと、該第２の携帯電話機にあらかじめ登録された静止画データとを受信し、受信した静止画を液晶表示部に表示しながら、該音声データを受話スピーカーから出力するように構成されていることを特徴とする電話通信システム。
【請求項１４】
請求項１３に記載の電話通信システムにおいて、
上記第１の携帯電話は、上記第２の携帯電話機に対して、あらかじめ該第２の携帯電話機内に登録された静止画を送信するよう要求するように構成されていることを特徴とする電話通信システム。
【請求項１５】
音声及び静止画データの通信機能を有する一方、テレビ電話機能を有さない他の携帯電話機との間で、少なくとも音声による通話を行う携帯電話機であって、
テレビ電話機能を有し、
音声データと動画データをテレビ電話データ形式で該他の携帯電話機に送信し、
上記他の携帯電話機に対し、該他の携帯電話機にあらかじめ登録された静止画データを送信するように要求し、該他の携帯電話機からの音声データと該静止画データとを受信するように構成されていることを特徴とする携帯電話機。
【請求項１６】
請求項１５に記載の携帯電話機であって、
通話中に操作することで、動画データからその時点の静止画を選択し、通信相手に液晶表示部に表示するよう要求する画像送信キーを備えていることを特徴とする携帯電話機。
【請求項１７】
テレビ電話機能を有する他の携帯電話機との間で少なくとも音声による通話を行う携帯電話機であって、
音声及び静止画データの通信機能を有する一方、テレビ電話機能を有さず、
あらかじめ登録してある静止画を上記他の携帯電話からの要求により、該他の携帯電話機に送信し、
上記他の携帯電話機からのテレビ電話データ形式のデータから音声データと動画データとを分離し、
音声データは受話スピーカーから出力し、動画データについては任意のタイミングの１フレームを静止画として選択し液晶表示部に表示するように構成されていることを特徴とする携帯電話機。
【請求項１８】
テレビ電話機能を有する他の携帯電話機との間で少なくとも音声による通話を行う携帯電話機であって、
音声及び動画データの通信機能を有する一方、動画撮影機能及び動画の再生表示機能を通話中に有さず、
あらかじめ登録された静止画から同じ画像が連続する動画データを生成し、送話マイクからの音声データと共にテレビ電話データ形式に変換し、
上記他の携帯電話機に送信し、
上記他の携帯電話機からのテレビ電話データ形式のデータから音声データと動画データとを分離し、
音声データは受話スピーカーから出力し、動画データについては任意のタイミングの１フレームを静止画として選択し液晶表示部に表示するように構成されていることを特徴とする携帯電話機。
【発明の詳細な説明】
【技術分野】
【０００１】
本発明は、携帯電話通信システム、電話通信方法、中継サーバー及び携帯電話機に関し、特にいわゆるテレビ電話機能を有する携帯電話機と、テレビ電話機能を有さない携帯電話機との間で、音声及び画像データの通信を可能にする携帯電話通信システム、電話通信方法、中継サーバー及び携帯電話機に関する。
【背景技術】
【０００２】
近年、音声及び動画データの通信機能と、動画撮影機能と、動画の再生表示機能とを有し、撮影した動画データと音声データとを同時にやりとりするテレビ電話機能を備えた携帯電話機が知られている。このテレビ電話機能を備えた携帯電話機同士では、自由にテレビ電話機能が行える電話通信システムが普及してきている。
【０００３】
ところで、音声及び静止画データの通信機能を有する一方、テレビ電話機能を有さない、テレビ電話機能を持たない携帯電話機も多く使用されている。このようなテレビ電話機能を有さない携帯電話機と、テレビ電話機能を有する携帯電話機との間では、一方がテレビ電話機能を有していても、他方がテレビ電話機能を有していないので、テレビ電話機能を使用することができない。
【０００４】
そこで、テレビ電話機能を有する携帯電話機とテレビ電話機能を有さない携帯電話機との間でテレビ電話の通話を可能とする電話通信システムが知られている（例えば、特許文献１参照）。図１４に示すように、この電話通信システム１１０は、通信相手となる電話端末に対して呼び制御を行うコールエージェント１０１と、画像データ及び音声データの変換を行うメディア変換器１０２とを有するサービスセンター１２１を備えている。また、電話通信システム１１０は、表示装置１０７及びカメラ１０９を有してインターネット等を介してサービスセンター１２１と接続される公衆通信端末１０８を備えている。
【０００５】
また、第１の電話端末１２３は、音声データや画像データの通信機能と、動画撮影機能と、撮影された動画の圧縮伸長及び再生表示する機能とを有し、撮影した動画データと音声データとを同時にやりとりすることができる。第２の電話端末１２４は、第１の電話端末１２３に比べ、動画撮影機能と撮影された動画の圧縮伸長及び再生表示する機能とのうち、少なくとも１つの機能を有していない。又はこれらの機能を有していたとしても、動画データと音声データとを同時にやりとりする機能を有していない。
【０００６】
上記第１の電話端末１２３と第２の電話端末１２４との間でテレビ電話の通話を行う場合、コールエージェント１０１が公衆通信端末１０８を起動してメディア変換器１０２に対して動画データの通信が行えるようにする。そして、第２の電話端末１２４からの音声データと公衆通信端末１０８のカメラ１０９で撮影した動画データとを合成し、第１の電話端末１２３に送信する。また、第１の電話端末１２３からの音声データと画像データとを分離して、分離した音声データは第２の電話端末１２４に送り、また分離した動画データを公衆通信端末１０８の表示装置１０７に送る。
【０００７】
これにより、テレビ電話機能を有する第１の電話端末１２３と、テレビ電話機能を有さない第２の電話端末１２４との間でテレビ電話による通話を可能としている。
【特許文献１】特開２００４-２２９２７０号公報
【発明の開示】
【発明が解決しようとする課題】
【０００８】
しかしながら、上記特許文献１で開示された電話通信システム１１０では、テレビ電話機能を有さない電話端末１２４でテレビ電話の通話を行うために、必ず電話端末１２４とは別に公衆通信端末１０８を用意する必要がある。
【０００９】
また、テレビ電話機能を有さない電話端末１２４でテレビ電話の通話を行うには、必ず公衆通信端末１０８の近くまで行かなければならず、周囲に公衆通信端末１０８がない場合には、公衆通信端末１０８の場所を探し、その場所まで移動しなければならないため、非常に不便である。
【００１０】
本発明は、かかる点に鑑みてなされたものであり、その目的とするところは、テレビ電話機能を有さない携帯電話機を使用し、この携帯電話機と共に使用する他の通信端末を必要とせずに、テレビ電話機能を有する携帯電話機との間で簡易的にテレビ電話の通話を可能にすることにある。
【課題を解決するための手段】
【００１１】
上記の目的を達成するために、この発明では、テレビ電話機能を有さない携帯電話との間でも、静止画をやりとりすることにより、音声及び画像データの送受信を可能にし、擬似的にテレビ電話を行えるようにした。
【００１２】
具体的には、第１の発明では、中継サーバーを経由して第１の携帯電話機と第２の携帯電話機とが少なくとも音声による通話を行う電話通信システムを対象とし、
上記第１の携帯電話機は、テレビ電話機能を有し、
上記第２の携帯電話機は、音声及び静止画データの通信機能を有する一方、テレビ電話機能を有さず、
上記中継サーバーは、
上記第１の携帯電話機から送信されたテレビ電話データ形式のデータのうち、音声データと動画データとを分離し、該音声データを第２の携帯電話機に送信する一方、動画データから任意のタイミングの１フレームを静止画データとして選択し、該静止画データを通話中又は通話前に該第２の携帯電話機に送信し、
上記第２の携帯電話機から音声データと、該第２の携帯電話機にあらかじめ登録された静止画データとを受信して合成し、上記第１の携帯電話機に送信するように構成されている。
【００１３】
上記の構成によると、中継サーバーは、いわゆるテレビ電話機能を有する第１の携帯電話機から送信された音声データ、動画データその他のデータから、動画データを分離し、この動画データのうち任意の１フレームを静止画データとして選択し、テレビ電話機能のない第２の携帯電話機に対して、この静止画データを通話中又は通話前に送信する。一方、第２の携帯電話機にあらかじめ静止画データを登録しておき、中継サーバーは、第２の携帯電話機からの音声データと、登録された静止画データとを受信して合成し、第１の携帯電話機に送信する。このようにして、テレビ電話機能のない第２の携帯電話機とテレビ電話機能を有する第１の携帯電話との間でテレビ電話が行われる。
【００１４】
第２の発明では、上記中継サーバーは、上記第２の携帯電話機に対して、あらかじめ該第２の携帯電話機内に登録された静止画を送信するよう要求するように構成されている。
【００１５】
上記の構成によると、テレビ電話機能を有する第１の携帯電話機が、テレビ電話機能を有さない第２の携帯電話機に対して通話したときに、中継サーバーは、第２の携帯電話機に対して、テレビ電話機能を用いるべく静止画を送るように要求する。そして、第２の携帯電話機がその要求に対応するように、あらかじめこの第２の携帯電話機内に登録された静止画を送信する。
【００１６】
第３の発明では、上記第１の携帯電話機は、通話中に操作することで、その時点の静止画を上記第２の携帯電話機に送信することを上記中継サーバーに要求する画像送信キーを備え、
上記中継サーバーは、上記要求によりその時点の動画データから静止画データを選択し、上記第２の携帯電話機に送信するように構成されている。
【００１７】
上記の構成によると、第１の携帯電話機の画像送信キーが操作されたときに、ユーザの好みの静止画データが中継サーバーで選択され、中継サーバーからその静止画が第２の携帯電話機に送信される。
【００１８】
第４の発明では、中継サーバーを経由して第１の携帯電話機と第２の携帯電話機とが少なくとも音声による通話を行う電話通信方法を対象とし、
テレビ電話機能を有する第１の携帯電話機と、音声及び静止画データの通信機能を有する一方、テレビ電話機能を有さない第２の携帯電話機と、上記中継サーバーとを用意する工程と、
上記中継サーバーが、上記第１の携帯電話機から送信されたテレビ電話データ形式のデータのうち、音声データと動画データとを分離する工程と、
上記中継サーバーが、上記音声データを第２の携帯電話機に送信する一方、上記動画データから任意のタイミングの１フレームを静止画データとして選択して該静止画データを通話中又は通話前に該第２の携帯電話機に送信する工程と、
上記中継サーバーが、上記第２の携帯電話機からの音声データと、該第２の携帯電話機にあらかじめ登録された静止画データとを第２の携帯電話機から受信して合成する工程と、
上記中継サーバーが、上記合成されたデータを上記第１の携帯電話機に送信する工程とを含んでいる。
【００１９】
上記の構成によると、中継サーバーは、テレビ電話機能を有する第１の携帯電話機から送信された音声データ、動画データその他のデータから、動画データを分離し、この動画データのうち任意の１フレームを静止画データとして選択し、テレビ電話機能のない第２の携帯電話機に対して、この静止画データを通話中又は通話前に送信する。一方、第２の携帯電話機にあらかじめ静止画データを登録しておき、中継サーバーは、第２の携帯電話機からの音声データと、登録された静止画データとを受信して合成し、第１の携帯電話機に送信する。このようにして、テレビ電話機能のない第２の携帯電話機とテレビ電話機能を有する第１の携帯電話との間でテレビ電話が行われる。
【００２０】
第５の発明では、上記中継サーバーが、上記第２の携帯電話機に対して、あらかじめ該第２の携帯電話機内に登録された静止画を送信するよう要求する工程を含んでいる。
【００２１】
上記の構成によると、テレビ電話機能を有する第１の携帯電話機が、テレビ電話機能を有さない第２の携帯電話機に対して通話したときに、中継サーバーは、第２の携帯電話機に対して、テレビ電話機能を用いるべく静止画を送るように要求する。そして、第２の携帯電話機がその要求に対応するように、あらかじめこの第２の携帯電話機内に登録された静止画を送信する。
【００２２】
第６の発明では、上記第１の携帯電話機が、通話中に、その時点の静止画を上記第２の携帯電話機に送信することを上記中継サーバーに要求し、該中継サーバーが要求によりその時点の動画データから静止画データを選択し、上記第２の携帯電話機に送信する工程を含んでいる。
【００２３】
上記の構成によると、第１の携帯電話機がその時点の静止画を中継サーバーに送るように要求すると、中継サーバーにて選択された静止画が第２の携帯電話機に送信される。
【００２４】
第７の発明は、第１の携帯電話機と第２の携帯電話機との間で少なくとも音声による通話の中継を行う中継サーバーを対象とし、
この中継サーバーは、テレビ電話機能を有する上記第１の携帯電話機からのテレビ電話データ形式のデータのうち、音声データと動画データとを分離し、動画データから任意のタイミングの１フレームを静止画として選択して、
音声及び静止画データの通信機能を有する一方、テレビ電話機能を有さない上記第２の携帯電話機に上記音声データを送信し、上記静止画データを通話中又は通話前に該第２の携帯電話機に送信し、
上記第２の携帯電話機からの音声データと、第２の携帯電話機にあらかじめ登録された静止画データとを第２の携帯電話機から受信して合成し、第１の携帯電話機に送信するように構成されている。
【００２５】
上記の構成によると、中継サーバーは、テレビ電話機能を有する第１の携帯電話機から送信された音声データ、動画データその他のデータから、動画データを分離し、この動画データのうち任意の１フレームを静止画データとして選択し、テレビ電話機能のない第２の携帯電話機に対して、この静止画データを通話中又は通話前に送信する。一方、第２の携帯電話機にあらかじめ静止画データを登録しておき、中継サーバーは、第２の携帯電話機からの音声データと、登録された静止画データとを受信して合成し、第１の携帯電話機に送信する。このようにして、テレビ電話機能のない第２の携帯電話機とテレビ電話機能を有する第１の携帯電話との間でテレビ電話が行われる。
【００２６】
第８の発明では、上記中継サーバーは、上記第２の携帯電話機に対して、あらかじめ該第２の携帯電話機内に登録された静止画を送信するよう要求するように構成されている。
【００２７】
上記の構成によると、テレビ電話機能を有する第１の携帯電話機が、テレビ電話機能を有さない第２の携帯電話機に対して通話したときに、中継サーバーは、第２の携帯電話機に対して、テレビ電話機能を用いるべく静止画を送るように要求する。そして、第２の携帯電話機がその要求に対応するように、あらかじめこの第２の携帯電話機内に登録された静止画を送信する。
【００２８】
第９の発明では、中継サーバーは、上記第１の携帯電話機が通話中に、その時点の静止画を上記第２の携帯電話機に送信することを要求してきたときに、その時点の動画データから静止画データを選択し、上記第２の携帯電話機に送信するように構成されている。
【００２９】
上記の構成によると、第１の携帯電話機がその時点の静止画を中継サーバーに送るように要求すると、中継サーバーにて選択された静止画が第２の携帯電話機に送信される。
【００３０】
第１０の発明は、中継サーバーを経由して音声及び画像データの通信を行う携帯電話機を対象とし、
この携帯電話機は、音声及び静止画データの通信機能を有する一方、テレビ電話機能を有さず、
あらかじめ登録してある静止画を上記中継サーバーからの要求により、該中継サーバーに送信し、
テレビ電話機能を有する携帯電話機からのテレビ電話データ形式のデータのうち、上記中継サーバーによって動画データから選択された静止画データと音声データとの受信を行うように構成されている。
【００３１】
上記の構成によると、テレビ電話機能を有していなくても、中継サーバーからの要求により、静止画データを音声データと共に送信し、また、テレビ電話機能を有する携帯電話機から中継サーバーを介して送られてきた静止画データと音声データとを受信することで、テレビ電話機能を有する携帯電話機に対して簡易的なテレビ電話が行われる。
【００３２】
第１１の発明では、上記中継サーバーから送信された静止画を通話中に携帯電話機の液晶表示部に表示するように構成されている。
【００３３】
上記の構成によると、テレビ電話機能を有する携帯電話機から送信された動画のうち、中継サーバーによって選択された静止画を表示することで、擬似的にテレビ電話が行われる。
【００３４】
第１２の発明は、中継サーバーを経由して音声及び画像データの通信を行う携帯電話機を対象とし、
この携帯電話機は、テレビ電話機能を有し、
通話中に操作することで、その時点の静止画を通信相手に送信することを上記中継サーバーに要求する画像送信キーを備えている。
【００３５】
上記の構成によると、画像送信キーを有しているので、テレビ電話機能を有さない携帯電話機との間でも、適宜静止画を送信するよう要求することで、擬似的にテレビ電話が行われる。
【００３６】
第１３の発明では、第１の携帯電話機と第２の携帯電話機とが少なくとも音声による通話を行う電話通信システムを対象とする。
【００３７】
上記第１の携帯電話機は、テレビ電話機能を有し、
上記第２の携帯電話機は、音声及び静止画データの通信機能を有する一方、テレビ電話機能を有さず、
上記第２の携帯電話機は、上記第１の携帯電話機から送信されたテレビ電話データ形式のデータのうち、音声データと動画データとを分離し、該音声データを受話スピーカーから出力する一方、動画データから任意のタイミングの１フレームを静止画データとして選択し、該静止画データを該第２の携帯電話機の液晶表示部に表示し、
上記第１の携帯電話は、第２の携帯電話機から送信された音声データと、該第２の携帯電話機にあらかじめ登録された静止画データとを受信し、受信した静止画を液晶表示部に表示しながら、該音声データを受話スピーカーから出力するように構成されている。
【００３８】
上記の構成によると、第２の携帯電話機は、テレビ電話機能を有していないので、第１の携帯電話機から送信されたテレビ電話データ形式のデータのうち、音声データと動画データとを分離する。そして、この音声データを通常通り受話スピーカーから出力する一方、動画データのうち任意の静止画データを選択し、この選択された静止画データを液晶表示部に表示する。一方、テレビ電話機能を有する第１の携帯電話は、第２の携帯電話機から送信された音声データと、この第２の携帯電話機にあらかじめ登録された静止画データとを受信する。第１の携帯電話機は動画再生機能を有しているが、この場合には、受信した静止画を液晶表示部に表示しながら、音声データを受話スピーカーから出力して通話が行われる。
【００３９】
第１４の発明では、上記第１の携帯電話は、上記第２の携帯電話機に対して、あらかじめ該第２の携帯電話機内に登録された静止画を送信するよう要求するように構成されている。
【００４０】
上記の構成によると、テレビ電話機能を有する第１の携帯電話機とテレビ電話機能を有さない第２の携帯電話機とが通話するときに、第１の携帯電話機は、第２の携帯電話機に対して、テレビ電話機能を用いるべく静止画を送るように要求する。そして、第２の携帯電話機がその要求に対応するように、あらかじめこの第２の携帯電話機内に登録された静止画を送信する。
【００４１】
第１５の発明は、音声及び静止画データの通信機能を有する一方、テレビ電話機能を有さない他の携帯電話機との間で、少なくとも音声による通話を行う携帯電話機を対象とし、
この携帯電話機は、テレビ電話機能を有し、
音声データと動画データをテレビ電話データ形式で該他の携帯電話機に送信し、
上記他の携帯電話機に対し、該他の携帯電話機にあらかじめ登録された静止画データを送信するように要求し、該他の携帯電話機からの音声データとこの静止画データとを受信するように構成されている。
【００４２】
上記の構成によると、特別な機能を有する中継サーバーを介さなくても、テレビ電話機能を有さない携帯電話機との間で通話するときには、動画データを音声データと共に送信し、テレビ電話機能を有さない携帯電話機に対して静止画データを要求して、送られてきた静止画データを表示することで、擬似的にテレビ電話が行われる。
【００４３】
第１６の発明では、通話中に操作することで、動画データからその時点の静止画を選択し、通信相手に液晶表示部に表示するよう要求する画像送信キーを備えている。
【００４４】
上記の構成によると、画像送信キーを有しているので、ユーザの好みの静止画が適宜通話相手の液晶表示部に表示される。
【００４５】
第１７の発明では、テレビ電話機能を有する他の携帯電話機との間で少なくとも音声による通話を行う携帯電話機を対象とし、
音声及び静止画データの通信機能を有する一方、テレビ電話機能を有さず、
あらかじめ登録してある静止画を上記他の携帯電話からの要求により、該他の携帯電話機に送信し、
上記他の携帯電話機からのテレビ電話データ形式のデータから音声データと動画データとを分離し、
音声データは受話スピーカーから出力し、動画データについては任意のタイミングの１フレームを静止画として選択し液晶表示部に表示するように構成されている。
【００４６】
上記の構成によると、動画データを音声とを同時に送受信する機能を有さないので、あらかじめ登録してある静止画を他のテレビ電話機能を有する携帯電話からの要求により、他の携帯電話機に送信する。一方、他の携帯電話機からのテレビ電話データ形式のデータから音声データと動画データとを分離し、音声データは通常通り、受話スピーカーから出力し、動画データについては任意のタイミングの１フレームを静止画として選択し液晶表示部に表示する。
【００４７】
第１８の発明では、テレビ電話機能を有する他の携帯電話機との間で少なくとも音声による通話を行う携帯電話機を対象とし、
音声及び動画データの通信機能を有する一方、動画撮影機能及び動画の再生表示機能を通話中に有さず、
あらかじめ登録された静止画から同じ画像が連続する動画データを生成し、送話マイクからの音声データと共にテレビ電話データ形式に変換し、
上記他の携帯電話機に送信し、
上記他の携帯電話機からのテレビ電話データ形式のデータから音声データと動画データとを分離し、
音声データは受話スピーカーから出力し、動画データについては任意のタイミングの１フレームを静止画として選択し液晶表示部に表示するように構成されている。
【００４８】
上記の構成によると、通常のテレビ電話機能を有する携帯電話機には特別な機構を設けなくても、動画撮影機能及び動画の再生表示機能を通話中に有さない携帯電話機によってのみテレビ電話機能を行うための操作が行われる。すなわち、音声及び動画データの通信機能を有するが、動画撮影機能を通話中に有さないので、あらかじめ登録された静止画から同じ画像が連続する動画データを生成し、送話マイクからの音声データと共に通常テレビ電話機能を有する携帯電話機間でやりとりされるテレビ電話データ形式に変換し、他の携帯電話機に送信する。一方、動画再生機能を通話中に有さないので、他の携帯電話機からのテレビ電話データ形式のデータから音声データと動画データとを分離し、音声データは通常通り、受話スピーカーから出力し、動画データについては任意のタイミングの１フレームを静止画として選択し液晶表示部に表示する。
【発明の効果】
【００４９】
以上説明したように、本発明によると、テレビ電話機能を有さない携帯電話機であっても、テレビ電話機能を有する携帯電話機との間で静止画をやりとりすることで、簡易的にテレビ電話の通話を行うことができる。
【００５０】
また、テレビ電話機能を有する携帯電話機側に、通話中に操作することで、その時点の静止画を通信相手に送信するよう要求する画像送信キーを設け、ユーザの好みの静止画を適宜通話相手の液晶表示部に表示させることにより、さらに快適にテレビ電話を行うことができる。
【００５１】
さらに、場合により、携帯電話機に新たな機能を設けるだけで中継サーバーを介しなくても、簡易的にテレビ電話の通話を行うこともできる。
【００５２】
また、音声及び動画データの通信機能を有する一方、動画撮影機能及び動画の再生表示機能を通話中に有さないような携帯電話でも、テレビ電話機能を有する携帯電話との間で簡易的にテレビ電話の通話を行うことができる。
【発明を実施するための最良の形態】
【００５３】
以下、本発明の実施形態を図面に基づいて説明する。
【００５４】
（実施形態１）
図１に、本発明の電話通信システム１０の構成を示す。第１の電話端末としての携帯電話機２３，２５は、音声及び動画データの通信機能と、動画撮影機能と、動画の再生表示機能とを備え、いわゆるテレビ電話機能を有している。
【００５５】
第２の携帯端末としての携帯電話機２４，２６は、動画データと音声とを同時に送受信する機能を備えず、テレビ電話機能を有していない。この携帯電話機２４及び２６は、静止画を撮影する機能を持ち、自ら有するカメラ（図示せず）であらかじめ撮影した静止画を内部に登録し、中継サーバー２１からの要求で送信するように構成されている。なお、この携帯電話機２４，２６は、音声及び動画データの通信機能と、動画撮影機能とを有していてもよい。
【００５６】
中継サーバー２１は、携帯電話通信網２２を通して上記各携帯電話機２３〜２６と通信可能で、携帯電話機２３〜２６間で通話を行う場合に、音声データと画像データのうち、少なくとも音声データの中継を行って、通話が行えるように構成されている。
【００５７】
−運転動作−
次に、上記のように構成された電話通信システム１０の動作を説明する。
【００５８】
まず、図２に、一般的にテレビ電話機能を有する携帯電話機２３，２５間でテレビ電話通話時に送受信されるデータの基本単位であるパケットの構成例を示す。パケットには、画像データと音声データとが含まれる。動画の１フレーム分のデータは、時間的に連続する複数のパケット中に分割して送受信される。また、ある一定時間内の音声データも、時間的に連続する複数のパケット中に分割して送受信される。
【００５９】
次に、図３及び図４に電話通信システム１０の動作をフローチャートとして示す。電話通信システム１０の動作は、テレビ電話の通話を行おうとしている携帯電話機２３〜２６の組み合わせによって、４通りに分けられるため、順を追って説明する。
【００６０】
（１）テレビ電話機能を有する携帯電話機２３が、同じくテレビ電話機能を有する携帯電話機２５に発信した場合
Ｓ１で、発信元携帯電話機２３はテレビ電話機能を有するため、Ｓ２に進む。
【００６１】
Ｓ２では、通話先携帯電話機２５はテレビ電話機能を有するため、Ｓ３に進む。
【００６２】
Ｓ３では、テレビ電話機能を有する携帯電話機２３，２５同士のテレビ電話の通話であるため、中継サーバー２１でのデータの変換は行われず、そのまま携帯電話機２３，２５同士が動画データと音声データとをやりとりしてテレビ電話の通話を行う。
【００６３】
（２）テレビ電話機能を有する携帯電話機２３が、テレビ電話機能を有さない携帯電話機２４に発信した場合
Ｓ１で、発信元携帯電話機２３はテレビ電話機能を有するため、Ｓ２に進む。
【００６４】
Ｓ２では、通話先携帯電話機２４はテレビ電話機能を有さないため、Ｓ４に進む。
【００６５】
Ｓ４では、中継サーバー２１は、携帯電話機２４に対して、あらかじめ携帯電話機２４内に登録された静止画を中継サーバー２１に送信するよう要求し、Ｓ５へ進む。
【００６６】
Ｓ５で、携帯電話機２４は、中継サーバー２１から要求された静止画を中継サーバー２１に送信し、Ｓ６へ進む。
【００６７】
Ｓ６で、中継サーバー２１は、携帯電話機２３から送られてくる動画データの任意の１フレームを選択し、静止画として携帯電話機２４に送信し、Ｓ７へ進む。
【００６８】
Ｓ７で、中継サーバー２１は、携帯電話機２４からの音声データとＳ５で携帯電話機２４から送信された静止画とを合成し、携帯電話機２３に送信する。また、携帯電話機２３からの音声データと動画データとを分離し、音声データのみ携帯電話機２４に送信する。また、携帯電話機２４は、Ｓ６で中継サーバー２１から送信された静止画データを液晶表示部２７に表示する。携帯電話機２３と携帯電話機２４とが通話中、このＳ７の処理を繰り返す。
【００６９】
（３）テレビ電話機能を有さない携帯電話機２４が、テレビ電話機能を有する携帯電話機２３に発信した場合
Ｓ１で、発信元携帯電話機２４はテレビ電話機能を有さないため、Ｓ８へ進む。
【００７０】
Ｓ８で、通話先携帯電話機２３はテレビ電話機能を有するため、Ｓ９へ進む。
【００７１】
Ｓ９で、中継サーバー２１は、携帯電話機２４に対して、あらかじめ携帯電話機２４内に登録された静止画を中継サーバー２１に送信するよう要求し、Ｓ１０へ進む。
【００７２】
Ｓ１０で、携帯電話機２４は、中継サーバー２１から要求された静止画を中継サーバー２１に送信し、Ｓ１１へ進む。
【００７３】
Ｓ１１で、中継サーバー２１は、携帯電話機２３から送られてくる動画データの任意の１フレームを選択し、静止画として携帯電話機２４に送信し、Ｓ１２へ進む。
【００７４】
Ｓ１２で、中継サーバー２１は、携帯電話機２４からの音声データとＳ１０で携帯電話機２４から送信された静止画とを合成し、携帯電話機２３に送信する。また、携帯電話機２３からの音声データと動画データとを分離し、音声データのみ携帯電話機２４に送信する。また、携帯電話機２４は、Ｓ１１で中継サーバー２１から送信された静止画データを液晶表示部２７に表示する。携帯電話機２３と携帯電話機２４とが通話中、Ｓ１２の処理を繰り返す。
【００７５】
（４）テレビ電話機能を有さない携帯電話機２４が、同じくテレビ電話機能を有さない携帯電話機２６に発信した場合。
【００７６】
Ｓ１で、発信元携帯電話機２４はテレビ電話機能を有さないため、Ｓ８へ進む。
【００７７】
Ｓ８で、通話先携帯電話機２６はテレビ電話機能を有さないため、Ｓ１３へ進む。
【００７８】
Ｓ１３で、中継サーバー２１は、携帯電話機２４に対して、あらかじめ携帯電話機２４内に登録された静止画を中継サーバー２１に送信するよう要求し、Ｓ１４へ進む。
【００７９】
Ｓ１４で、携帯電話機２４は、中継サーバー２１から要求された静止画を中継サーバー２１に送信し、Ｓ１５へ進む。
【００８０】
Ｓ１５で、中継サーバー２１は、携帯電話機２６に対して、あらかじめ携帯電話機２６内に登録された静止画を中継サーバー２１に送信するよう要求し、Ｓ１６へ進む。
【００８１】
Ｓ１６で、携帯電話機２６は、中継サーバー２１から要求された静止画を中継サーバー２１に送信し、Ｓ１７へ進む。
【００８２】
Ｓ１７で、中継サーバー２１は、Ｓ１４で携帯電話機２４から受信した静止画を携帯電話機２６に送信する。また、Ｓ１６で携帯電話機２６から受信した静止画を携帯電話機２４に送信する。
【００８３】
Ｓ１８で、中継サーバー２１は、携帯電話機２４からの音声データを携帯電話機２６へ送信する。また、携帯電話機２６からの音声データを携帯電話機２４へ送信する。また、携帯電話機２４は、Ｓ１７で中継サーバー２１から送信された静止画データを液晶表示部２７に表示する。また、携帯電話機２６は、Ｓ１７で中継サーバー２１から送信された静止画データを液晶表示部２７に表示する。携帯電話機２４と携帯電話機２６が通話中、Ｓ１８での動作を繰り返す。
【００８４】
−実施形態１の効果−
したがって、本実施形態に係る電話通信システム１０によると、テレビ電話機能を有さない携帯電話機であっても、テレビ電話機能を有する携帯電話機との間で静止画をやりとりすることで、簡易的にテレビ電話の通話を行うことができる。
【００８５】
（実施形態２）
図５乃至図８は本発明の実施形態２に係る電話通信システム１０の動作のフローチャートを示す。なお、図１乃至図４と同じ部分については同じ符号を付してその詳細な説明は省略する。
【００８６】
すなわち、電話通信システム１０の構成は、実施形態１と同じであるが、携帯電話機２３，２５は、通話中に操作することでその時点の静止画を相手に送信することを中継サーバー２１に要求する画像送信キー（図示せず）を備えている点で上記実施形態１と異なる。
【００８７】
−運転動作−
次に、本実施形態に係る電話通信システム１０の作動について説明する。
【００８８】
電話通信システム１０の動作は、テレビ電話の通話を行おうとしている携帯電話機２３〜２６の組み合わせによって、４通りに分けられるため、順を追って説明する。
【００８９】
（１）テレビ電話機能を有する携帯電話機２３が、同じくテレビ電話機能を有する携帯電話機２５に発信した場合
Ｓ２１で、発信元携帯電話機２３はテレビ電話機能を有するため、Ｓ２２に進む。
【００９０】
Ｓ２２では、通話先携帯電話機２５はテレビ電話機能を有するため、Ｓ２３に進む。
【００９１】
Ｓ２３では、テレビ電話機能を有する携帯電話機同士のテレビ電話の通話であるため、中継サーバー２１でのデータの変換は行われず、そのまま携帯電話機同士が動画データと音声データとをやりとりしてテレビ電話の通話を行う。
【００９２】
（２）テレビ電話機能を有する携帯電話機２３が、テレビ電話機能を有さない携帯電話機２４に発信した場合
Ｓ２１で、発信元携帯電話機２３はテレビ電話機能を有するため、Ｓ２２に進む。
【００９３】
Ｓ２２では、通話先携帯電話機２４はテレビ電話機能を有さないため、Ｓ２４に進む。
【００９４】
Ｓ２４では、中継サーバー２１は、携帯電話機２４に対して、あらかじめ携帯電話機２４内に登録された静止画を中継サーバー２１に送信するよう要求し、Ｓ２５へ進む。
【００９５】
Ｓ２５で、携帯電話機２４は、中継サーバー２１から要求された静止画を中継サーバー２１に送信し、Ｓ２６へ進む。
【００９６】
Ｓ２６で、中継サーバー２１は、携帯電話機２３から送られてくる動画データの最初の１フレームを選択し、静止画として携帯電話機２４に送信し、Ｓ２７へ進む。
【００９７】
Ｓ２７での処理の詳細を、図６に示す。
【００９８】
Ｓ４０で、中継サーバー２１は、携帯電話機２４からの音声データとＳ２５で携帯電話機２４から送信された静止画とを合成し、携帯電話機２３に送信する。また、携帯電話機２３からの音声データと動画データとを分離し、音声データのみ携帯電話機２４に送信する。また、携帯電話機２４は、直近に中継サーバー２１から送信された静止画データを液晶表示部２７に表示する。次に、Ｓ４１へ進む。
【００９９】
Ｓ４１では、中継サーバー２１は通話が終了したかを判定し、終了していなければＳ４２へ進む。
【０１００】
Ｓ４２で中継サーバー２１は、携帯電話機２３で画像送信キーが押されているかどうかを判定する。画像送信キーが押されていると判定された場合、Ｓ４３へ進む。押されていないと判定された場合、Ｓ４０へ戻る。
【０１０１】
Ｓ４３で中継サーバー２１は、これまでに受信した携帯電話機２３からの画像データのうち、最新の１フレームの画像を静止画として携帯電話機２４に送信する。その後、Ｓ４０へ戻る。
【０１０２】
（３）テレビ電話機能を有さない携帯電話機２４が、テレビ電話機能を有する携帯電話機２３に発信した場合
Ｓ２１で、発信元携帯電話機２４はテレビ電話機能を有さないため、Ｓ２８へ進む。
【０１０３】
Ｓ２８で、通話先携帯電話機２３はテレビ電話機能を有するため、Ｓ２９へ進む。
【０１０４】
Ｓ２９で、中継サーバー２１は、携帯電話機２４に対して、あらかじめ携帯電話機２４内に登録された静止画を中継サーバー２１に送信するよう要求し、Ｓ３０へ進む。
【０１０５】
Ｓ３０で、携帯電話機２４は、中継サーバー２１から要求された静止画を中継サーバー２１に送信し、Ｓ３１へ進む。
【０１０６】
Ｓ３１で、中継サーバー２１は、携帯電話機２３から送られてくる動画データの最初の１フレームを選択し、静止画として携帯電話機２４に送信し、Ｓ３２へ進む。
【０１０７】
Ｓ３２での処理の詳細を図８に示す。
【０１０８】
Ｓ５０で、中継サーバー２１は、携帯電話機２４からの音声データとＳ３０で携帯電話機２４から送信された静止画とを合成し、携帯電話機２３に送信する。また、携帯電話機２３からの音声データと動画データとを分離し、音声データのみ携帯電話機２４に送信する。また、携帯電話機２４は、直近に中継サーバー２１から送信された静止画データを液晶表示部２７に表示する。次にＳ５１へ進む。
【０１０９】
Ｓ５１では、中継サーバー２１は通話が終了したかを判定し、終了していなければＳ５２へ進む。
【０１１０】
Ｓ５２で中継サーバー２１は、携帯電話機２３で画像送信キーが押されているかどうかを判定する。画像送信キーが押されていると判定された場合、Ｓ５３へ進む。押されていないと判定された場合、Ｓ５０へ戻る。
【０１１１】
Ｓ５３で中継サーバー２１は、これまでに受信した携帯電話機２３からの画像データのうち、最新の１フレームの画像を静止画として携帯電話機２４に送信する。その後、Ｓ５０へ戻る。
【０１１２】
（４）テレビ電話機能を有さない携帯電話機２４が、同じくテレビ電話機能を有さない携帯電話機２６に発信した場合
Ｓ２１で、発信元携帯電話機２４はテレビ電話機能を有さないため、Ｓ２８へ進む。
【０１１３】
Ｓ２８で、通話先携帯電話機２６はテレビ電話機能を有さないため、Ｓ３３へ進む。
【０１１４】
Ｓ３３で、中継サーバー２１は、携帯電話機２４に対して、あらかじめ携帯電話機２４内に登録された静止画を中継サーバー２１に送信するよう要求し、Ｓ３４へ進む。
【０１１５】
Ｓ３４で、携帯電話機２４は、中継サーバー２１から要求された静止画を中継サーバー２１に送信し、Ｓ３５へ進む。
【０１１６】
Ｓ３５で、中継サーバー２１は、携帯電話機２６に対して、あらかじめ携帯電話機２６内に登録された静止画を中継サーバー２１に送信するよう要求し、Ｓ３６へ進む。
【０１１７】
Ｓ３６で、携帯電話機２６は、中継サーバー２１から要求された静止画を中継サーバー２１に送信し、Ｓ３７へ進む。
【０１１８】
Ｓ３７で、中継サーバー２１は、Ｓ３４で携帯電話機２４から受信した静止画を携帯電話機２６に送信する。また、Ｓ３６で携帯電話機２６から受信した静止画を携帯電話機２４に送信する。
【０１１９】
Ｓ３８で、中継サーバー２１は、携帯電話機２４からの音声データを携帯電話機２６へ送信する。また、携帯電話機２６からの音声データを携帯電話機２４へ送信する。また、携帯電話機２４は、Ｓ３７で中継サーバー２１から送信された静止画データを液晶表示部２７に表示する。また、携帯電話機２６は、Ｓ３７で中継サーバー２１から送信された静止画データを液晶表示部２７に表示する。携帯電話機２４と携帯電話機２６が通話中、Ｓ３８の処理を繰り返す。
【０１２０】
−実施形態２の効果−
したがって、本実施形態に係る電話通信システム１０によると、画像送信キーを適宜操作することでテレビ電話機能を有する携帯電話機２３，２５で撮影した動画データのうち、好みの静止画データを送信することができるので、テレビ電話機能を有さない携帯電話機２４，２６に対しても、さらに快適なテレビ電話が行える。
【０１２１】
（実施形態３）
図９に実施形態３に係る電話通信システム８０の構成を示す。本実施形態は、中継サーバー２１を備えていない点で上記実施形態１及び２と異なる。また、テレビ電話機能を有する携帯電話機８１，８３とテレビ電話機能を有さない携帯電話機８２，８４との両方に、簡易テレビ電話のための機能が実装されている。具体的な機能については、以下に示す。
【０１２２】
−運転動作−
図１０及び図１１に、この電話通信システム８０の動作をフローチャートとして示す。電話通信システム８０の動作は、テレビ電話の通話を行おうとしている携帯電話機の組み合わせによって、４通りに分けられるため、順を追って説明する。
（１）テレビ電話機能を持つ携帯電話機８１が、テレビ電話機能を有する携帯電話機８３に発信した場合
Ｓ９１で、発信元携帯電話機８１はテレビ電話機能を有するため、Ｓ９２に進む。
【０１２３】
Ｓ９２では、通話先携帯電話機８３はテレビ電話機能を有するため、Ｓ９３に進む。
【０１２４】
Ｓ９３では、テレビ電話機能を有する携帯電話機８１，８３同士のテレビ電話の通話であるため、そのまま携帯電話機８１，８３同士がテレビ電話の通話を行う。
（２）テレビ電話機能を有する携帯電話機８１が、テレビ電話機能を有さない携帯電話機８２に発信した場合
Ｓ９１で、発信元携帯電話機８１はテレビ電話機能を有するため、Ｓ９２に進む。
【０１２５】
Ｓ９２では、通話先携帯電話機８２はテレビ電話機能を有さないため、Ｓ９４に進む。
【０１２６】
Ｓ９４で、携帯電話機８１は、携帯電話機８２に対して、あらかじめ携帯電話機８２内に登録された静止画を、携帯電話機８１に送信するよう要求し、Ｓ９５へ進む。
【０１２７】
Ｓ９５で、携帯電話機８２は携帯電話機８１から要求された静止画を携帯電話機８１に送信し、Ｓ９６へ進む。
【０１２８】
Ｓ９６で、携帯電話機８２は、携帯電話機８１から送られてくる動画データの任意の１フレームを静止画として選択し、液晶表示部８７に表示する。
【０１２９】
Ｓ９７で、携帯電話機８１は、Ｓ９５で携帯電話機８２から受信した静止画を液晶表示部８７に表示しながら、携帯電話機８２からの音声データを受話スピーカー（図示せず）から出力する。また、携帯電話機８２は、携帯電話機８１からの音声データと動画データとを分離し、音声データを受話スピーカーから出力する。このとき携帯電話機８２の液晶表示部８７には、Ｓ９６で表示した静止画が表示されたままである。携帯電話機８１と携帯電話機８２が通話中、Ｓ９７の処理を繰り返す。
（３）テレビ電話機能を有さない携帯電話機８２が、テレビ電話機能を有する携帯電話機８３に発信した場合
Ｓ９１で、発信元携帯電話機８２はテレビ電話機能を有さないため、Ｓ９８へ進む。
【０１３０】
Ｓ９８で、通話先携帯電話機８３はテレビ電話機能を有するため、Ｓ９９へ進む。
【０１３１】
Ｓ９９で、携帯電話機８３は、携帯電話機８２に対して、あらかじめ携帯電話機８２内に登録された静止画を、携帯電話機８３に送信するよう要求し、Ｓ１００へ進む。
【０１３２】
Ｓ１００で、携帯電話機８２は携帯電話機８３に要求された静止画を携帯電話機８３に送信し、Ｓ１０１へ進む。
【０１３３】
Ｓ１０１で、携帯電話機８２は、携帯電話機８３から送られてくる動画データの任意の１フレームを静止画として選択し、液晶表示部８７に表示する。
Ｓ１０２で、携帯電話機８３は、Ｓ１００で携帯電話機８２から受信した静止画を液晶表示部８７に表示しながら、携帯電話機８２からの音声データを受話スピーカーから出力する。また、携帯電話機８２は、携帯電話機８３からの音声データと動画データとを分離し、音声データを受話スピーカーから出力する。このとき携帯電話機８２の液晶表示部８７には、Ｓ１０１で表示した静止画が表示されたままである。携帯電話機８２と携帯電話機８３が通話中、Ｓ１０２の処理を繰り返す。
（４）テレビ電話機能を有さない携帯電話機８２が、テレビ電話機能を有さない携帯電話機８４に発信した場合。
【０１３４】
Ｓ９１で、発信元携帯電話機８２はテレビ電話機能を有さないため、Ｓ９８へ進む。
【０１３５】
Ｓ９８で、通話先携帯電話機８４はテレビ電話機能を有さないため、Ｓ１０３へ進む。
【０１３６】
Ｓ１０３で、携帯電話機８４は、携帯電話機８２に対して、あらかじめ携帯電話機８２内に登録された静止画を、携帯電話機８４に送信するよう要求し、Ｓ１０４へ進む。
Ｓ１０４で、携帯電話機８２は携帯電話機８４に要求された静止画を携帯電話機８４に送信し、Ｓ１０５へ進む。
【０１３７】
Ｓ１０５で、携帯電話機８２は、携帯電話機８４に対して、あらかじめ携帯電話機８４内に登録された静止画を、携帯電話機８２に送信するよう要求し、Ｓ１０６へ進む。
Ｓ１０６で、携帯電話機８４は携帯電話機８２に要求された静止画を携帯電話機８２に送信し、Ｓ１０７へ進む。
【０１３８】
Ｓ１０７で、携帯電話機８４は、Ｓ１０４で携帯電話機８２から受信した静止画を液晶表示部８７に表示しながら、携帯電話機８２からの音声データを受話スピーカーから出力する。また、携帯電話機８２は、Ｓ１０６で携帯電話機８４から受信した静止画を液晶表示部８７に表示しながら、携帯電話機８４からの音声データを受話スピーカーから出力する。携帯電話機８２と携帯電話機８４が通話中、Ｓ１０７の処理を繰り返す。
【０１３９】
−実施形態３の効果−
したがって、本実施形態に係る電話通信システム８０によると、テレビ電話機能を有さない携帯電話機８２，８４であっても、両携帯電話機に簡易テレビ電話のための機能を実装させるだけで、テレビ電話機能を有する携帯電話機８１，８３との間で静止画をやりとりすることで、簡易的にテレビ電話の通話を行うことができる。
【０１４０】
−実施形態３の変形例−
なお、携帯電話機８２，８４が、通話相手から送信されたテレビ電話形式データの動画データのうちの１フレームを表示するタイミングは、携帯電話機８２，８４の使用者がボタンを押すなどの操作により指示したタイミングでもよいし、任意の一定時間間隔のタイミングでもよい。また、通話相手の携帯電話機８１，８３の特定の操作ボタン（画像送信キー）が押されたタイミングでもよい。
【０１４１】
また、テレビ電話機能を有する携帯電話機８１，８３が、動画データのうち任意の静止画データを選択し、該静止画データを通話中又は通話前にテレビ電話機能を有さない携帯電話機８２，８４に送信するようにしてもよい。
【０１４２】
（実施形態４）
実施形態４に係る電話通信システム８０の構成は、上記実施形態３と同じであるが、簡易テレビ電話通話時に携帯電話機で行う処理が異なる。
【０１４３】
具体的には、上記実施形態３では、テレビ電話機能を有する携帯電話機８１，８３とテレビ電話機能を有さない携帯電話機８２，８４との両方に、簡易テレビ電話のための機能が実装されている。一方、本実施形態では、テレビ電話機能を有する携帯電話機８１，８３については、簡易テレビ電話のための新たな機能は実装されていない。音声及び動画データの通信機能を有する一方、動画撮影機能及び動画の再生表示機能を通話中に有さないため、テレビ電話機能を有さない携帯電話機８２，８４については、簡易テレビ電話のための機能が実装されている。具体的な機能については、以下に示す。
【０１４４】
−運転動作−
図１２及び図１３に、この電話通信システム８０での携帯電話機の動作をフローチャートとして示す。電話通信システム８０の動作は、テレビ電話の通話を行おうとしている携帯電話機の組み合わせによって、４通りに分けられるため、順を追って説明する。
【０１４５】
（１）テレビ電話機能を有する携帯電話機８１が、テレビ電話機能を有する携帯電話機８３に発信した場合
Ｓ１１０で、発信元携帯電話機８１はテレビ電話機能を有するため、Ｓ１１１に進む。
【０１４６】
Ｓ１１１では、通話先携帯電話機８３はテレビ電話機能を有するため、Ｓ１１２に進む。
【０１４７】
Ｓ１１２では、テレビ電話機能を有する携帯電話機８１，８３同士のテレビ電話の通話であるため、そのまま携帯電話機８１，８３同士がテレビ電話の通話を行う。
（２）テレビ電話機能を有する携帯電話機８１が、テレビ電話機能を有さない携帯電話機８２に発信した場合
Ｓ１１０で、発信元携帯電話機８１はテレビ電話機能を有するため、Ｓ１１１に進む。
【０１４８】
Ｓ１１１では、通話先携帯電話機８２はテレビ電話機能を有さないため、Ｓ１１３に進む。
【０１４９】
Ｓ１１３では、携帯電話機８１は、通常のテレビ電話と同様のテレビ電話データ形式の動画データと音声データを、携帯電話機８２に送信する。携帯電話機８２は、あらかじめ携帯電話機８２内に登録された静止画から同じ画像が連続する動画データを生成し、送話マイク（図示せず）からの音声データと共にテレビ電話データ形式に変換し、携帯電話機８１に送信する。また携帯電話機８２は、携帯電話機８１からのテレビ電話データ形式のデータから音声データと動画データとを分離し、音声データは受話スピーカーから出力し、動画データについては任意のタイミングの１フレームを静止画として選択し液晶表示部８７に表示する。携帯電話機８１と携帯電話機８２が通話中、Ｓ１１３の処理を繰り返す。
（３）テレビ電話機能を有さない携帯電話機８２が、テレビ電話機能を有する携帯電話機８３に発信した場合
Ｓ１１０で、発信元携帯電話機８２はテレビ電話機能を有さないため、Ｓ１１４へ進む。
【０１５０】
Ｓ１１４で、通話先携帯電話機８３はテレビ電話機能を有するため、Ｓ１１５へ進む。
【０１５１】
Ｓ１１５では、携帯電話機８２は、あらかじめ携帯電話機８２内に登録された静止画から同じ画像が連続する動画データを生成し、送話マイクからの音声データと共にテレビ電話データ形式に変換し、携帯電話機８３に送信する。また携帯電話機８２は、携帯電話機８３からのテレビ電話データ形式のデータから音声データと動画データとを分離し、音声データは受話スピーカーから出力し、動画データについては任意のタイミングの１フレームを静止画として選択し液晶表示部８７に表示する。携帯電話機８３は、通常のテレビ電話と同様のテレビ電話データ形式の動画データと音声データを、携帯電話機８２に送信する。携帯電話機８２と携帯電話機８３が通話中、Ｓ１１５の処理を繰り返す。
（４）テレビ電話機能を有さない携帯電話機８２が、テレビ電話機能を有さない携帯電話機８４に発信した場合。
【０１５２】
Ｓ１１０で、発信元携帯電話機８２はテレビ電話機能を有さないため、Ｓ１１４へ進む。
【０１５３】
Ｓ１１４で、通話先携帯電話機８４はテレビ電話機能を有さないため、Ｓ１１６へ進む。
【０１５４】
Ｓ１１６では、携帯電話機８２は、あらかじめ携帯電話機８２内に登録された静止画から同じ画像が連続する動画データを生成し、送話マイクからの音声データと共にテレビ電話データ形式に変換し、携帯電話機８４に送信する。また携帯電話機８２は、携帯電話機８４からのテレビ電話データ形式のデータから音声データと動画データとを分離し、音声データは受話スピーカーから出力し、動画データについては任意のタイミングの１フレームを静止画として選択し液晶表示部８７に表示する。
【０１５５】
また携帯電話機８４は、あらかじめ携帯電話機８４内に登録された静止画から同じ画像が連続する動画データを生成し、送話マイクからの音声データと共にテレビ電話データ形式に変換し、携帯電話機８２に送信する。また携帯電話機８４は、携帯電話機８２からのテレビ電話データ形式のデータから音声データと動画データとを分離し、音声データは受話スピーカーから出力し、動画データについては任意のタイミングの１フレームを静止画として選択し液晶表示部８７に表示する。携帯電話機８２と携帯電話機８４が通話中、Ｓ１１６の処理を繰り返す。
【０１５６】
−実施形態４の効果−
したがって、本実施形態に係る電話通信システム８０によると、動画撮影機能及び動画の再生表示機能を通話中に有さない携帯電話機８２，８４であっても簡易テレビ電話のための機能を実装させるだけで、テレビ電話機能を有する携帯電話機８１，８３との間で静止画をやりとりすることで、簡易的にテレビ電話の通話を行うことができる。
【０１５７】
−実施形態４の変形例−
なお、携帯電話機８２，８４が、通話相手から送信されたテレビ電話形式データの動画データのうちの１フレームを表示するタイミングは、携帯電話機８２，８４の使用者がボタンを押すなどの操作により指示したタイミングでもよいし、任意の一定時間間隔のタイミングでもよい。また、通話相手の携帯電話機８１，８３の特定の操作ボタン（画像送信キー）が押されたタイミングでもよい。
【０１５８】
（その他の実施形態）
本発明は、上記各実施形態について、以下のような構成としてもよい。
【０１５９】
すなわち、上記各実施形態では、携帯電話機２４，２６は、携帯電話機であらかじめ撮影した静止画を内部に登録し、中継サーバー２１からの要求で送信するように構成したが、有線又は無線経由で取得した静止画を内部に登録し、中継サーバー２１からの要求でこの静止画を送信するようにしてもよい。
【０１６０】
また、上記各実施形態では、メール機能などの文字データの取り扱いについて説明していないが、メール機能を有する携帯電話機でも本発明の作用効果が発揮される。
【０１６１】
なお、以上の実施形態は、本質的に好ましい例示であって、本発明、その適用物や用途の範囲を制限することを意図するものではない。
【産業上の利用可能性】
【０１６２】
以上説明したように、本発明は、いわゆるテレビ電話機能を有する携帯電話機と、テレビ電話機能を有さない携帯電話機との間で、音声及び画像データの通信を可能にする携帯電話通信システム、電話通信方法、中継サーバー及び携帯電話機について有用である。
【図面の簡単な説明】
【０１６３】
【図１】本発明の実施形態１に係る電話通信システムを示す構成図である。
【図２】テレビ電話通話時に送受信されるデータの基本単位であるパケットの構成例を示す説明図である。
【図３】本発明の実施形態１に係る電話通信システムの動作を示すフローチャートである。
【図４】本発明の実施形態１に係る電話通信システムの動作を示すフローチャートである。
【図５】本発明の実施形態２に係る電話通信システムの動作を示すフローチャートである。
【図６】本発明の実施形態２に係る電話通信システムにおける通話通処理１の動作を示すフローチャートである。
【図７】本発明の実施形態２に係る電話通信システムの動作を示すフローチャートである。
【図８】本発明の実施形態２に係る電話通信システムにおける通話通処理２の動作を示すフローチャートである。
【図９】本発明の実施形態３に係る電話通信システムを示す構成図である。
【図１０】本発明の実施形態３に係る電話通信システムの動作を示すフローチャートである。
【図１１】本発明の実施形態３に係る電話通信システムの動作を示すフローチャートである。
【図１２】本発明の実施形態４に係る電話通信システムの動作を示すフローチャートである。
【図１３】本発明の実施形態４に係る電話通信システムの動作を示すフローチャートである。
【図１４】従来技術に係る電話通信システムを示す構成図である。
【符号の説明】
【０１６４】
１０      電話通信システム
２１      中継サーバー
２２      携帯電話通信網
２３      テレビ電話機能を有する携帯電話機（第１の電話端末）
２４      テレビ電話機能を有さない携帯電話機（第２の電話端末）
２５      テレビ電話機能を有する携帯電話機（第１の電話端末）
２６      テレビ電話機能を有さない携帯電話機（第２の電話端末）
２７      液晶表示部
８１      テレビ電話機能を有する携帯電話機（第１の電話端末）
８２      テレビ電話機能を有さない携帯電話機（第２の電話端末）
８３      テレビ電話機能を有する携帯電話機（第１の電話端末）
８４      テレビ電話機能を有さない携帯電話機（第２の電話端末
８７      液晶表示部
【図１】
2006325092.tif 000003
【図２】
2006325092.tif 000004
【図３】
2006325092.tif 000005
【図４】
2006325092.tif 000006
【図５】
2006325092.tif 000007
【図６】
2006325092.tif 000008
【図７】
2006325092.tif 000009
【図８】
2006325092.tif 000010
【図９】
2006325092.tif 000011
【図１０】
2006325092.tif 000012
【図１１】
2006325092.tif 000013
【図１２】
2006325092.tif 000014
【図１３】
2006325092.tif 000015
【図１４】
2006325092.tif 000016